(57)【要約】【課題】ポケットと玉との間に潤滑剤を充分に供給し保持できて軸受の潤滑性を向上できるラジアル玉軸受用保持器及びラジアル玉軸受を提供する。【解決手段】ラジアル玉軸受用保持器２０は、ラジアル玉軸受の軌道面間に配置される複数の玉５を転動自在に保持するために全体を円環状に形成して円周方向の複数箇所にポケット１８を設け、各ポケットは玉が押し込まれる開口部Ｔと、玉が位置する凹面部１９と、を有し、開口部の両端に一対の爪状部１６ａ，１６ｂを設け、ポケットの爪状部１６ａとその隣り合うポケットの爪状部１６ｂとの間において保持器の内周２８及び外周２７に沿ってそれぞれ壁部２１，２２を設けることで潤滑剤溜まり部２５を形成し、爪状部に潤滑剤溜まり部と凹面部とを連通する連通部２３，２４を設けた。【選択図】図２
2008261479.tif 000002
【特許請求の範囲】
【請求項１】
ラジアル玉軸受の軌道面間に配置される複数の玉を転動自在に保持するために全体を円環状に形成して円周方向の複数箇所にポケットを設け、前記各ポケットは前記玉が押し込まれる開口部と、前記玉が位置する凹面部と、を有し、前記開口部の両端に一対の爪状部を設けたラジアル玉軸受用保持器であって、
前記ポケットの爪状部とその隣り合うポケットの爪状部との間において前記保持器の内周及び外周に沿ってそれぞれ壁部を設けることで潤滑剤溜まり部を形成し、
前記爪状部に前記潤滑剤溜まり部と前記凹面部とを連通する連通部を設けたことを特徴とするラジアル玉軸受用保持器。
【請求項２】
前記壁部に前記爪状部を弾性変形し易くするための易弾性変形部を設けた請求項１に記載のラジアル玉軸受用保持器。
【請求項３】
前記易弾性変形部は前記壁部に形成したスリット状の切り欠きから構成される請求項２に記載のラジアル玉軸受用保持器。
【請求項４】
前記潤滑剤溜まり部に両隣のポケットに対し前記連通部をそれぞれ設けた請求項１，２または３に記載のラジアル玉軸受用保持器。
【請求項５】
外周面に内輪軌道面を有する内輪と内周面に外輪軌道面を有する外輪とを互いに同心に配置し、前記内輪軌道面と前記外輪軌道面との間に、請求項１乃至４のいずれか１項に記載のラジアル玉軸受用保持器を用いて複数の玉を保持し、
前記保持器の前記潤滑剤溜まり部に潤滑剤を充填したことを特徴とするラジアル玉軸受。
【請求項６】
前記内輪軌道面及び前記外輪軌道面の少なくとも一方の溝半径（ｒ’）と前記玉の直径（Ｄ）との半径比（ｒ’／Ｄ）が５２％以下である請求項５に記載のラジアル玉軸受。
【請求項７】
前記潤滑剤としてグリースを充填し、
前記グリースの調度が２００乃至２８０の範囲内にある請求項５または６に記載のラジアル玉軸受。
【発明の詳細な説明】
【技術分野】
【０００１】
本発明は、ラジアル玉軸受の軌道面間に配置される複数の玉を転動自在に保持するラジアル玉軸受用保持器及びラジアル玉軸受に関する。
【背景技術】
【０００２】
ラジアル玉軸受は各種回転機械装置で回転軸等を支持する軸受部に広く使用されているが、このラジアル玉軸受の従来例の概略的構成を図４に示す（下記特許文献１，２，３参照）。図４のラジアル玉軸受１０は、外周面に内輪軌道面１を形成した内輪２と、内周面に外輪軌道面３を形成した外輪４とを同心的に配置し、内輪軌道面１と外輪軌道面３との間に複数個の玉５を転動自在に設けて構成されている。複数個の玉５は保持器６により転動自在に保持されている。図５に図４の保持器６の斜視図を示す。
【０００３】
図５に示すように、保持器６は、円環状の冠型に構成されており、樹脂から射出成形により製造され、従来の金属からプレス成形で製造された波型保持器の代わりに用いられるようになっている（下記特許文献１，２，３参照）。図５の冠型保持器６は、円環状の主部１７の円周方向の複数個所に玉５（図４）を転動自在に保持するように設けられたポケット１８と、ポケット１８の両側に設けられた弾性変形可能な爪状の一対の弾性片（爪状部）１６ａ、１６ｂと、を複数組有する。各ポケット１８において、主部１７に互いに間隔をあけて配置された一対の弾性片１６ａと１６ｂとの間から底部に向けて形成された凹面部１９がほぼ全体に球面状に構成されている。各ポケット１８の図の上部には一対の弾性片１６ａ、１６ｂ間に開口部Ｔが形成される。
【０００４】
図５の冠型保持器６を用いて図４のようなラジアル玉軸受を組み立てる場合、玉５を、ポケット１８の一対の弾性片１６ａ、１６ｂの先端縁同士の間隔を弾性的に押し広げて弾性片１６ａ、１６ｂの間の開口部Ｔから押し込むようにして挿入する。このように、冠型保持器６は各ポケット１８内に各玉５を抱き込むことで、玉５を内輪軌道面１と外輪軌道面３との間（図４）で転動自在に保持する。
【０００５】
上述のように、従来のラジアル玉軸受の保持器は、金属製の波型保持器やポケットが単一の球面で成形された樹脂製の円環状の冠型保持器が使われることが一般的であった。
【特許文献１】特許第３７４４６６３号公報
【特許文献２】特許第３０３５７６６号公報
【特許文献３】特開２００５−１３３８９３号公報
【発明の開示】
【発明が解決しようとする課題】
【０００６】
図６は図５の保持器６を半径方向外方からみた概略図である（ポケットとポケットとの間を広げて図示している）。図５，図６のように、ポケット１８の爪状の弾性片１６ａと、その隣のポケット１８の爪状の弾性片１６ｂとの円周方向ｓの間は、いわゆる肉盗み形状であり、空間ｕとなっている。このため、軸受の回転中の遠心力により爪状の各弾性片１６ａ，１６ｂが弾性変形し易くなり、軸受内部に充填されたグリース等の潤滑剤を玉５との間で保持することが困難となることがあった。その結果、ポケット１８と玉５との間の潤滑剤が不足することがあり、潤滑剤膜切れが生じて潤滑性が低下してしまい、ポケット１８の磨耗や玉５の焼き付けや騒音発生につながり易かった。
【０００７】
本発明は、上述のような従来技術の問題に鑑み、ポケットと玉との間に潤滑剤を充分に供給し保持できて軸受の潤滑性を向上できるラジアル玉軸受用保持器及びラジアル玉軸受を提供することを目的とする。
【課題を解決するための手段】
【０００８】
上記目的を達成するために、本発明によるラジアル玉軸受用保持器は、ラジアル玉軸受の軌道面間に配置される複数の玉を転動自在に保持するために全体を円環状に形成して円周方向の複数箇所にポケットを設け、前記各ポケットは前記玉が押し込まれる開口部と、前記玉が位置する凹面部と、を有し、前記開口部の両端に一対の爪状部を設けたラジアル玉軸受用保持器であって、前記ポケットの爪状部とその隣り合うポケットの爪状部との間において前記保持器の内周及び外周に沿ってそれぞれ壁部を設けることで潤滑剤溜まり部を形成し、前記爪状部に前記潤滑剤溜まり部と前記凹面部とを連通する連通部を設けたことを特徴とする。
【０００９】
このラジアル玉軸受用保持器によれば、ラジアル玉軸受に用いて、爪状部とその隣の爪状部と内周側の壁部と外周側の壁部とにより形成された潤滑剤溜まり部に潤滑剤を充填しておくことで、軸受の回転中に潤滑剤溜まり部に潤滑剤を保持し、軸受の回転に伴って潤滑剤が潤滑剤溜まり部から連通部を通してポケットの凹面部へと供給されるので、玉とポケットの凹面部との間に潤滑剤を充分に供給できるとともに、壁部により軸受回転による遠心力に起因する爪状部の変形を抑制するので、玉と凹面部との間に潤滑剤を保持でき、軸受における潤滑性を向上できる。また、壁部により軸受回転時の爪状部の変形を抑制できるので、高速回転使用が可能となる。
【００１０】
上記ラジアル玉軸受用保持器において前記壁部に前記爪状部を弾性変形し易くするための易弾性変形部を設けることで、軸受の組み立て時にポケットに玉を押し込むときに爪状部が弾性変形し易くなり、軸受の組み立て性を向上できる。この場合、前記易弾性変形部は前記壁部に形成したスリット状の切り欠きから構成することができる。
【００１１】
また、前記潤滑剤溜まり部に両隣のポケットに対し前記連通部をそれぞれ設けることで、１つのポケットに対し２箇所の潤滑剤溜まり部から潤滑剤の供給が可能となる。なお、各潤滑剤溜まり部を隣接する１つのポケットの凹面部に連通するように構成してもよい。
【００１２】
本発明によるラジアル玉軸受は、外周面に内輪軌道面を有する内輪と内周面に外輪軌道面を有する外輪とを互いに同心に配置し、前記内輪軌道面と前記外輪軌道面との間に、上述のラジアル玉軸受用保持器を用いて複数の玉を保持し、前記保持器の前記潤滑剤溜まり部に潤滑剤を充填したことを特徴とする。
【００１３】
このラジアル玉軸受によれば、上述のラジアル玉軸受用保持器を用い、潤滑剤溜まり部に潤滑剤を充填し保持することで、軸受の回転に伴って潤滑剤が潤滑剤溜まり部から連通部を通してポケットの凹面部へと供給されるので、玉とポケットの凹面部との間に潤滑剤を充分に供給できるとともに、壁部により軸受回転による遠心力に起因する爪状部の変形を抑制するので、玉と凹面部との間に潤滑剤を保持でき、軸受における潤滑性を向上できる。また、壁部により軸受回転時の爪状部の変形を抑制できるので、高速回転使用が可能となる。
【００１４】
上記ラジアル玉軸受において前記内輪軌道面及び前記外輪軌道面の少なくとも一方の溝半径（ｒ’）と前記玉の直径（Ｄ）との半径比（ｒ’／Ｄ）が５２％以下であることが好ましい。これにより、内輪軌道面及び／又は外輪軌道面において玉と接触する面積が大きくなり、軌道面の溝上の応力が小さくなるので、軸受の高負荷化を実現できる。
【００１５】
また、前記潤滑剤としてグリースを充填し、前記グリースの調度（グリースの粘度を示す指標）が２００乃至２８０の範囲内にあることが好ましい。
【発明の効果】
【００１６】
本発明のラジアル玉軸受用保持器及びラジアル玉軸受によれば、ポケットと玉との間に潤滑剤を充分に供給し保持できて軸受の潤滑性を向上できる。
【発明を実施するための最良の形態】
【００１７】
以下、本発明を実施するための最良の形態について図面を用いて説明する。
【００１８】
〈第１の実施の形態〉
【００１９】
図１は第１の実施の形態によるラジアル玉軸受用保持器をポケットの開口部側の上面からみた上面図（ａ）及び図１（ａ）の保持器の中心ｐを通る一点鎖線ｂ−ｂ線の方向に切断してみた断面図（ｂ）である。図２は図１（ａ）の保持器を円周方向の一点鎖線II-II線方向に切断して概略的にみた断面図である（ポケットとポケットとの間を広げて図示している）。
【００２０】
図１，図２の本実施の形態による保持器２０は、全体を円環状に形成して円周方向に複数のポケット１８を設けた冠型保持器であり、全体形状が図５の保持器と略同一であり、図４のようなラジアル玉軸受に用いられるので、図５と対応する部分には同じ符号を付してその説明を省略する。
【００２１】
図１（ａ）、（ｂ），図２，図５に示すように、保持器２０は、外周面２７と内周面２８との間の円環状の主部１７の円周方向に等間隔に形成された複数のポケット１８を備え、各ポケット１８は、二点鎖線で示す玉５が位置する球面状の凹面部１９と、玉５が凹面部１９へと押し込まれる開口部Ｔと、を有し、各開口部Ｔの両端に一対の爪状部（弾性片）１６ａ，１６ｂが位置する。
【００２２】
図１（ａ）、（ｂ），図２のように、保持器２０には、各ポケットの爪状部１６ａとその隣り合うポケット１８の爪状部１６ｂとの間において、保持器２０の外周面２７に沿って外周壁部２１と、内周面２８に沿って内周壁部２２とが設けられている。外周壁部２１及び内周壁部２２は、爪部１６ａ、１６ｂの高さと略同一高さになっている。
【００２３】
また、爪状部１６ａの凹面部１９を構成しない反対側面１６ｃと、その隣の爪状部１６ｂの凹面部１９を構成しない反対側面１６ｄとの間に底面２６が位置している。
【００２４】
また、爪状部１６ａの反対側面１６ｃと、その隣の爪状部１６ｂの反対側面１６ｄと、外周壁部２１と、内周壁部２２と、により包囲されて図の上方が開口した凹み部２５が底面２６上に形成され、この凹み部が潤滑剤溜まり部２５となっている。
【００２５】
図２のように、凹面部１９と爪状部１６ａ、１６ｂの反対側面１６ｃ，１６ｄとの間を貫通して連通孔２３，２４が設けられ、連通孔２３，２４により潤滑剤溜まり部２５とポケット１８とが連通している。連通部２３，２４は、玉５の中心Ｏにほぼ向くように図２の斜め下方に形成されている。
【００２６】
なお、保持器２０の潤滑剤溜まり部２５の底面２６の図２の下方には肉盗み部２９が形成されて空洞になっている。
【００２７】
図１（ａ）、（ｂ），図２のラジアル玉軸受用保持器２０によれば、図４と同様のラジアル玉軸受において保持器２０の各ポケット１８に玉５を保持した状態で用いられ、予め各潤滑剤溜まり部２５内にグリース等の潤滑剤を充填しておくことで、ラジアル玉軸受が回転して図１の円周方向ｓに玉５と保持器２０が回転した際に、回転方向ｓと逆方向位置の面１６ｃ側に潤滑剤が押し付けられて連通孔２３内に入り込んで、各ポケット１８の凹面部１９に適量の潤滑剤を惨み出させることができる。
【００２８】
また、爪状部１６ａ、１６ｂの反対側面１６ｃと１６ｄとの間に壁部２１，２２があるので、軸受回転による遠心力に起因する爪状部１６ａ，１６ｂの変形を抑制することができる。
【００２９】
以上のように、軸受の回転中に潤滑剤溜まり部２５に潤滑剤を保持し、軸受の回転に伴って潤滑剤が潤滑剤溜まり部２５から連通孔２３を通してポケット１８の凹面部１９へと供給されるので、玉５と凹面部１９との間に潤滑剤を充分に供給できるとともに、壁部２１，２２により軸受回転時の爪状部１６ａ，１６ｂの変形を抑制できるので、玉５と凹面部１９との間から潤滑剤が遠心力により飛ばされ難くなり、玉５と凹面部１９との間に潤滑剤を保持できて潤滑剤膜を途切れずに形成できる。このようにして、軸受における潤滑性を向上できるから、保持器２０においてポケット１８の磨耗や玉５の焼き付きや騒音発生等を未然に防止できる。
【００３０】
また、壁部２１，２２により軸受回転時の爪状部１６ａ，１６ｂの変形を抑制できるので、従来よりも高速回転での使用が可能となる。
【００３１】
また、図１（ａ）、図２においてラジアル玉軸受の回転により円周方向ｓと逆方向ｓ’に玉５と保持器２０が回転する場合には、回転方向ｓ’と逆方向位置の面１６ｄ側に潤滑剤が押し付けられて連通孔２４内に入り込んで各ポケット１８の凹面部１９に適量の潤滑剤を惨み出させることができる。
【００３２】
したがって、図１（ａ）、（ｂ），図２のラジアル玉軸受用保持器２０は、回転方向ｓ，ｓ’の両方向に回転する両方向回転タイプのラジアル玉軸受に用いて好適である。なお、保持器２０が回転方向ｓまたはｓ’のいずれかに回転する一方向回転タイプのラジアル玉軸受に用いるものである場合には、潤滑剤溜まり部２５における連通孔２３，２４の一方を省略可能である。
【００３３】
〈第２の実施の形態〉
【００３４】
図３は第２の実施の形態によるラジアル玉軸受用保持器を円周方向に切断して概略的にみた断面図であり（ポケットとポケットとの間を広げて図示している）、図２と同様の図である。
【００３５】
図３の保持器３０は、図１（ａ）、（ｂ），図２と同様の構成であるが、外周面２７及び内周面２８に沿ってかつ爪状部１６ａ、１６ｂの反対側面１６ｃと１６ｄとの間に設けられた外周壁部２１及び内周壁部２２にそれぞれ複数のスリット状の切り欠き３１，３２，３３を円周方向ｓ（ｓ’）に沿って形成したものである。
【００３６】
スリット状の切り欠き３１は、図３のように、外周壁部２１及び内周壁部２２に、ポケット１８の爪状部１６ａの反対側面１６ｃの近くに設けられ、スリット状の切り欠き３３はその隣のポケット１８の爪状部１６ｂの反対側面１６ｄの近くに設けられ、スリット状の切り欠き３２は反対側面１６ｃと１６ｄとの間の円周方向の略中央に切り欠き３１、３２よりも浅く設けられている。
【００３７】
図３のラジアル玉軸受用保持器３０によれば、上述の図１（ａ）、（ｂ），図２と同様の作用効果を得ることができるとともに、外周壁部２１及び内周壁部２２に設けたスリット状の切り欠き３１，３２，３３により、爪状部１６ａ，１６ｂが弾性変形し易くなるので、軸受の組み立て時にポケット１８に玉５を押し込むときに爪状部１６ａ、１６ｂが図２の場合よりも容易に弾性変形し、軸受の組み立て性を向上できる。
【００３８】
なお、図１〜図３のような保持器２０，３０は、成形金型を用いて樹脂から射出成形で成形することができる。
【００３９】
〈第３の実施の形態〉
【００４０】
図８は第３の実施の形態によるラジアル玉軸受（半径比が５２％以下の場合の各軌道輪と玉を示す）の断面図（ａ）及び従来のラジアル玉軸受（半径比が５２％を超えた場合の各軌道輪と玉を示す）の断面図（ｂ）である。なお、図８では、説明の便宜上、保持器の図示を省略している。
【００４１】
図１，図２，図３の保持器２０，３０は複数の玉５を各ポケット１８に保持してラジアル玉軸受に組み込まれる。すなわち、図８（ａ）に示すように、本実施の形態によるラジアル玉軸受５０は、外輪軌道面５１を有する外輪４と、内輪軌道面５２を有する内輪２と、複数個の玉５と、各玉５を各ポケット１８内に転動自在に均等位置に保持する保持器２０（または３０）と、を備え、内輪軌道面５２と外輪軌道面５１との間に複数個の玉５を転動自在に配置したものである。
【００４２】
また、図８（ａ）のラジアル玉軸受５０において、内輪２の内輪軌道面５２は、溝半径ｒ５２を有する溝状となっており、溝半径ｒ５２と玉５の直径Ｄとの半径比 （ｒ５２／Ｄ）が５２％以下である。同様に、外輪４の外輪軌道面５１は、溝半径ｒ５１を有する溝状となっており、溝半径ｒ５１と玉５の直径Ｄとの半径比 （ｒ５１／Ｄ）が５２％以下である。
【００４３】
上述のように、本実施の形態によるラジアル玉軸受５０では、内輪２の内輪軌道面５２の溝半径ｒ５２及び外輪４の外輪軌道面５１の溝半径ｒ５１と玉５の直径との各半径比（ｒ５２／Ｄ，ｒ５１／Ｄ）を、図８（ｂ）のような従来の場合に適用される５２％よりも小さくすることで、玉５が接触する軌道面５１，５２の溝上の応力を小さくしている。
【００４４】
すなわち、図８（ｂ）の場合は内輪軌道面１の溝半径ｒ１１と玉５の直径Ｄとの半径比 （ｒ１１／Ｄ）が５２％を超え、同様に外輪軌道面３の溝半径ｒ１３と玉５の直径Ｄとの半径比 （ｒ１３／Ｄ）が５２％を超える。このため、各軌道面１，３において玉５と接触する面積が小さくなることから、各軌道面１，３の溝上の応力が大きくなってしまうのに対し、本実施の形態の図８（ａ）によれば、各半径比（ｒ５２／Ｄ，ｒ５１／Ｄ）が５２％以下であり、内輪軌道面５２及び外輪軌道面５１において玉５と接触する面積が大きくなることから、軌道面５１，５２の溝上の応力が小さくなる。このため、本実施の形態のラジアル玉軸受５０は、適用される軸受装置において高い負荷が可能となって高負荷化を達成できる。
【００４５】
なお、上述の各半径比（ｒ５２／Ｄ，ｒ５１／Ｄ）は、５０％以上であることが好ましい。
【００４６】
図８（ａ）のラジアル玉軸受５０は、その軸受内部に潤滑剤が充填されて使用されるが、潤滑剤としてグリースを用いることが好ましく、この場合、グリースの調度（グリースの粘度を示す指標）が２００乃至２８０の範囲内にあることが好ましい。このように比較的硬いグリースを潤滑剤として使用する場合、保持器のポケット形状が単一の球面状である場合、軸受使用中にグリースがポケットから一度外に押し出されると、なかなかポケット内に戻り難く、保持器において潤滑不良が発生し易くなってしまうが、本実施の形態のラジアル玉軸受５０によれば、図１〜図３のように保持器２０，３０が潤滑剤溜まり部２５を有し、グリースが潤滑剤溜まり部２５に保持され、ポケット１８から外に押し出され難くなるから、グリースによる潤滑性能を発揮し維持することができる。
【００４７】
また、ラジアル玉軸受５０で後述の図７の保持器４０を用いた場合には、図７のように保持器４０のポケット１８と玉５との間において、球状凹面部４１と円筒状凹面部４２，４２との境界近傍及び円筒状凹面部４２，４２と球状凹面部４３，４３との境界近傍に別のグリース溜まり部Ａ，Ｂがそれぞれ形成され、グリースがさらにグリース溜まり部Ａ，Ｂにも保持され、ポケット１８から外に押し出され難くなり、また、外に押し出されてもポケット１８内に戻り易くなるから、グリースによる潤滑性能を発揮し維持することができる。
【００４８】
以上のように本発明を実施するための最良の形態について説明したが、本発明はこれらに限定されるものではなく、本発明の技術的思想の範囲内で各種の変形が可能である。例えば、図３において、壁部２１，２２に設けるスリット状の切り欠きは、反対側面１６ｃと１６ｄとの間に１つだけ設けてもよく、また、２つでもよく、更に、４つ以上であってもよく、また、切り欠きの深さも適宜変えることができる。
【００４９】
また、図２，図３において、爪状部１６ａ、１６ｂの軸受組み立て時の易弾性変形性と、軸受回転時の遠心力に対する難弾性変形性とが両立するように、スリット状の切り欠きの個数や深さや壁部２１，２２の肉厚を適宜決定することが好ましい。
【００５０】
また、図２，図３では、保持器の各ポケット１８の凹面部１９のほぼ全体を半径Ｒの球面凹状に構成したが、本発明はこれに限定されず、図７の保持器４０のように、ポケット１８の凹面部１９の全体形状を、図の下方の底部が玉５の中心Ｏを中心とした半径Ｒ１（Ｒ１＞ｒ（ｒ：玉５の半径））を有する球状凹面部４１であり、開口部Ｔのある上方部分が玉５の中心Ｏを中心とした半径Ｒ２（Ｒ２＞ｒ）を有する球状凹面部４３，４３であり、球状凹面部４１と球状凹面部４３，４３との各中間部分が玉５の転動中心軸ｖを中心としたアキシャル円筒状凹面部４２，４２であるように構成してもよい。また、図７の右側のポケット１８で破線で示すように、球状凹面部４１について半径Ｒ１の中心を玉５の中心Ｏから転動中心軸ｖ上のＯ１にずらして半径Ｒ１を大きくし半径Ｒ３（Ｒ３＞Ｒ１）とするとともに、球状凹面部４３について半径Ｒ２の中心を玉５の中心Ｏから転動中心軸ｖ上のＯ２にずらして半径Ｒ２を大きくし半径Ｒ４（Ｒ４＞Ｒ２）としてもよい。
【図面の簡単な説明】
【００５１】
【図１】第１の実施の形態によるラジアル玉軸受用保持器をポケットの開口部側の上面からみた上面図（ａ）及び図１（ａ）の保持器の中心ｐを通る一点鎖線ｂ−ｂ線の方向に切断してみた断面図（ｂ）である。
【図２】図１（ａ）の保持器を円周方向の一点鎖線II-II線方向に切断して概略的にみた断面図である（ポケットとポケットとの間を広げて図示している）。
【図３】第２の実施の形態によるラジアル玉軸受用保持器を円周方向に切断して概略的にみた断面図であり（ポケットとポケットとの間を広げて図示している）、図２と同様の図である。
【図４】従来のラジアル玉軸受の内部構成を概略的に示すために一部を破断した斜視図である。
【図５】図４のラジアル玉軸受に配置可能な従来の樹脂製の冠型保持器を示す斜視図である。
【図６】図５の保持器を半径方向外方からみた概略図である（ポケットとポケットとの間を広げて図示している）
【図７】図２の変形例に係わるラジアル玉軸受用保持器を円周方向に切断して概略的にみた断面図である（ポケットとポケットとの間を広げて図示している）。
【図８】第３の実施の形態によるラジアル玉軸受（半径比が５２％以下の場合の各軌道輪と玉を示す）の断面図（ａ）及び従来のラジアル玉軸受（半径比が５２％を超えた場合の各軌道輪と玉を示す）の断面図（ｂ）である。
【符号の説明】
【００５２】
２ 内輪
４ 外輪
５ 玉
５０ ラジアル玉軸受
５１ 外輪軌道面
５２ 内輪軌道面
１６ａ，１６ｂ 弾性片、爪状部
１６ｃ，１６ｄ 爪状部の反対側面
１８ ポケット
１９ 凹面部
２０ ラジアル玉軸受用保持器、保持器
２１ 外周壁部
２２ 内周壁部
２３，２４ 連通孔
２５ 潤滑剤溜まり部
２７ 外周面
２８ 内周面
３０，４０ ラジアル玉軸受用保持器、保持器
３１，３２，３３ スリット状の切り欠き
４１ 球状凹面部
４２ アキシャル円筒状凹面部
４３ 球状凹面部
Ｏ 玉の中心
Ｔ 開口部
ｓ，ｓ’ 円周方向、回転方向
ｖ 転動中心軸
Ｄ 玉５の直径
ｒ５２ 内輪軌道面５２の溝半径
ｒ５１ 外輪軌道面５１の溝半径
Ａ，Ｂ グリース溜まり部
【図１】
2008261479.tif 000003
【図２】
2008261479.tif 000004
【図３】
2008261479.tif 000005
【図４】
2008261479.tif 000006
【図５】
2008261479.tif 000007
【図６】
2008261479.tif 000008
【図７】
2008261479.tif 000009
【図８】
2008261479.tif 000010